(57)【要約】【課題】グループ単位の患者に対する複数の医療機器の割当てを容易かつ適切に行うことができる医用管理装置を提供すること。【解決手段】管理端末１００は、実際に来院した患者を特定する患者特定情報を一覧表示する機能と、一覧表示された患者特定情報とユーザーにより患者に割当てられた運動負荷装置２００の機器特定情報とを紐付ける機能と、を有する。これにより、医療従事者は、実際に来院した患者の一覧を見ながら各患者への運動負荷装置２００の割当てを行うことができ、グループ単位の患者に対する複数の運動負荷装置２００の割当てを容易かつ適切に行うことができるようになる。【選択図】図１
2015191524.tif 000002
【特許請求の範囲】
【請求項１】
グループ単位の患者に対して複数の医療機器を運用して行われる医療作業を管理する医用管理装置であって、
前記医療機器を使用する患者を特定する患者特定情報を入力する入力手段と、
前記入力手段により入力された前記患者特定情報を一覧表示する表示手段と、
前記一覧表示された前記患者特定情報と、前記複数の医療機器を特定する医療機器特定情報とを、ユーザー操作に応じて紐付けて登録する登録手段と、
を具備する医用管理装置。
【請求項２】
前記入力手段は、バーコードリーダー、タグリーダー又はＩＣカードリーダーである、
請求項１に記載の医用管理装置。
【請求項３】
前記表示手段は、前記患者特定情報の一覧と、前記医療機器特定情報の一覧と、を同一画面に表示する、
請求項１又は請求項２に記載の医用管理装置。
【請求項４】
前記医用管理装置は、心臓リハビリに用いられるものであり、
前記複数の医療機器は、運動負荷装置である、
請求項１から請求項３のいずれか一項に記載の医用管理装置。
【発明の詳細な説明】
【技術分野】
【０００１】
本発明は、例えば心臓リハビリテーション（以下「リハビリテーション」のことを「リハビリ」と略記することもある）に用いられる医用管理装置に関する。
【背景技術】
【０００２】
リハビリの運動実績を管理する装置が、例えば特許文献１及び特許文献２で開示されている。
【０００３】
特許文献１には、患者が行うリハビリ運動による運動情報を分析し、複数の患者の運動機能の履歴全般について管理するリハビリテーション管理装置が提案されている。特許文献２には、リハビリの多数の評価項目の評価値が、総体として、良い方へ向かっているのか、変化が無いのか、或いは、悪い方へ向かっているのかを、所望の時点まで遡って容易に把握できるようにしたリハビリテーション支援装置が提案されている。
【先行技術文献】
【特許文献】
【０００４】
【特許文献１】特開２００５−３５２６８６号公報
【特許文献２】特開２０１０−１０８４３０号公報
【発明の概要】
【発明が解決しようとする課題】
【０００５】
ところで、心臓リハビリを行うにあたっては例えば８人の患者で１グループが構成され、８人の患者それぞれにトレッドミルやエルゴメータなどの運動負荷装置が割り当てられ、８人のリハビリが同じ時間帯で行われる。
【０００６】
各患者への運動負荷装置の割当ては、医師、理学療法士、看護師などの医療従事者によって行われる。実際上、この割当ては、一人一人の患者がリハビリ施設に訪れる度に行われる。ここで本明細書におけるリハビリ施設とは、病院内のリハビリ室も含むものとする。
【０００７】
なお、各患者のリハビリ実施予定日は、患者がリハビリ施設に来訪する前から予め決められているので、そのリハビリ実施予定日に基づいて、予め各患者に運動負荷装置を割当てておいてもよいが、このようにすると、リハビリ実施予定日に来ることができなくなった患者がいた場合には、各患者への運動負荷装置の割当てをやり直したり、さらにリハビリを行うグループの編成を組み直す必要がある。実際には、リハビリ実施予定日に来られなくなる患者は多い。そのため、実際の運用では、各患者への運動負荷装置の割当ては、患者がリハビリ施設に来たことを確認してから行われるのが一般的である。
【０００８】
この割当てをパソコンなどで行って登録する場合、医療従事者は、ある運動負荷装置を選択しておいて、その運動負荷装置に来院した患者を割り当てるといったように、一人一人の患者が来院する度に患者に運動負荷装置を割り当てる作業を行う。よって、医療従事者は、一人一人の患者が来る度に、患者確認→機器割当、の処理を繰り返さなければならず、煩雑であった。
【０００９】
本発明は、以上の点を考慮してなされたものであり、グループ単位の患者に対する複数の医療機器の割当てを容易かつ適切に行うことができる医用管理装置を提供する。
【課題を解決するための手段】
【００１０】
本発明の医用管理装置の一つの態様は、
グループ単位の患者に対して複数の医療機器を運用して行われる医療作業を管理する医用管理装置であって、
前記医療機器を使用する患者を特定する患者特定情報を入力する入力手段と、
前記入力手段により入力された前記患者特定情報を一覧表示する表示手段と、
前記一覧表示された前記患者特定情報と、前記複数の医療機器を特定する医療機器特定情報とを、ユーザー操作に応じて紐付けて登録する登録手段と、
を具備する。
【発明の効果】
【００１１】
本発明によれば、グループ単位の患者に対する複数の医療機器の割当てを容易かつ適切に行うことができる。
【図面の簡単な説明】
【００１２】
【図１】実施の形態に係るリハビリテーションシステムの全体構成を示す図
【図２】実施の形態による管理端末に表示される割当て画面の例を示す図
【発明を実施するための形態】
【００１３】
以下、本発明の実施の形態について、図面を参照して詳細に説明する。
【００１４】
＜システム構成＞
図１は、本発明の実施の形態に係るリハビリテーションシステムの全体構成を示す概略図である。本実施の形態のリハビリテーションシステム１０は、心臓リハビリを行うためのシステムである。心臓リハビリは、運動器リハビリなどのように一人一人の患者が順番にリハビリを行う（医療従事者と患者が一対一で行われる）のに対して、１つの管理端末で複数の患者の生体情報（例えば心電図波形）や運動実績をモニタしながら、複数の患者が同時にリハビリを行うことができるようになっている。
【００１５】
リハビリテーションシステム１０は、管理端末１００と、運動負荷装置２００と、を有する。管理端末１００及び運動負荷装置２００は、リハビリ室に配置されている。
【００１６】
管理端末１００は、生体情報を取得して表示する機能を有する。また、管理端末１００は、運動負荷装置２００を制御する機能を有する。さらに、本実施の形態の場合、管理端末１００は、ユーザー操作に応じて、患者情報と、運動負荷装置２００とを紐付ける機能を有する。
【００１７】
管理端末１００は、運動負荷装置２００に接続されており、運動負荷装置２００に向けて制御信号を出力するとともに、運動負荷装置２００から運動実績データを入力する。なお、本実施の形態では、管理端末１００が運動負荷装置２００に接続されている場合について述べるが、本発明はこれに限らない。つまり、運動負荷装置２００を管理端末１００によって制御するのではなく、運動負荷装置２００に直接設定値を入力するなどして運動負荷装置２００を動作させてもよい。また、管理端末１００による運動実績データの取得方法も、運動負荷装置２００から入力する方法に限らない。運動実績データはキーボード１１１等の入力手段を使ってユーザーが入力するようにしてもよいし、患者がリハビリを実行したことをもってその患者が予め設定した設定値（スケジュール値）の運動を行ったと見なしてこの設定値を運動実績データとしてもよい。
【００１８】
管理端末１００は、リハビリ中の患者の生体情報及び運動実績データを表示部に表示できる。また、管理端末１００は、患者の生体情報及び運動実績データを自装置に記憶したり、他の端末（図示せず）に送信できるようになっている。
【００１９】
管理端末１００には、ハブ１１を介して複数（例えば８台）の運動負荷装置２００が並列に接続可能とされており、管理端末１００は複数の運動負荷装置２００を独立かつ同時に制御できるとともに、複数の運動負荷装置２００からの運動実績データを同時に入力できるようになっている。これにより、リハビリテーションシステム１０は、複数人（例えば８人）の患者のリハビリを同時に行うことができる。
【００２０】
管理端末１００は、患者ごとの運動負荷を設定可能である。管理端末１００を使用するのは医療従事者であり、医療従事者はキーボード１１１やマウス１１２などの入力手段を用いて患者ごとの運動負荷を設定する。運動負荷装置２００によるリハビリの開始及び終了のタイミングも管理端末１００によって制御される。例えば、医療従事者はリハビリを行っている患者の様子を見ながら、管理端末１００を使って運動負荷装置２００を緊急停止させることもできる。
【００２１】
実際には、管理端末１００から出力された制御信号は、ハブ１１及び負荷コントローラ２０３を介してトレッドミル２０１及びエルゴメータ２０２などからなる運動負荷装置２００に供給される。また、運動負荷装置２００から出力された回転数などの情報が負荷コントローラ２０３及びハブ１１を介して運動実績データとして管理端末１００に入力される。なお、管理端末１００は、ディスプレイをタッチパネル構成とすることで、キーボード１１１やマウス１１２などの入力手段を省略してもよい。
【００２２】
負荷コントローラ２０３には血圧計２０４が接続可能となっており、血圧計２０４により得られた血圧値が負荷コントローラ２０３及びハブ１１を介して管理端末１００に入力される。ハブ１１には、テレメータ送信機４０１からの無線信号を受信するテレメータ受信機４０２が接続可能となっている。テレメータ送信機４０１は、リハビリを行っている患者に装着され、心電図データ（ＥＣＧ）及び酸素飽和度（ＳｐＯ２）などを測定し、これを無線送信する。テレメータ受信機４０２は、テレメータ送信機４０１からの信号を受信しこれを復調する。復調後の信号はハブ１１を介して管理端末１００に送られる。
【００２３】
このように、管理端末１００には、リハビリを行っている患者の運動実績データに加えて、血圧値、心電図データ（ＥＣＧ）及び酸素飽和度（ＳｐＯ２）などの生体情報が入力される。なお、管理端末１００には、生体情報として、体重やＢＭＩ(Body Mass Index)などを入力してもよい。この生体情報は、管理端末１００に体組成計などの計測装置を接続して計測装置から直接入力されてもよく、キーボード１１１やマウス１１２などの入力手段を用いて医療従事者によって入力されてもよい。
【００２４】
さらに、管理端末１００は、バーコードリーダー３００が接続されている。バーコードリーダー３００は、患者が所持する診察券、予約券、回数券、医療券などに印刷されているバーコードを読み取る。これにより、管理端末１００はバーコードリーダー３００を介して患者ＩＤ、つまり患者を特定する患者特定情報を入力する。なお、バーコードリーダー３００に代えてタグリーダーやＩＣカードリーダーを接続して、タグやＩＣカードに記録された患者ＩＤを読み取って入力してもよい。
【００２５】
＜各患者への運動負荷装置の割当て＞
本実施の形態の管理端末１００は、図２に示すような、各患者に対して運動負荷装置２００を割り当てる割当て画面を表示できるようになっている。図２の画面は、管理端末１００のユーザーである医療従事者がメニュー画面から機器割当てメニューを選択したときに、管理端末１００のディスプレイに表示される。
【００２６】
画面右半分には患者リストが一覧表示され、画面左半分には負荷装置リストが一覧表示される。
【００２７】
患者リストには縦方向に亘ってリストアップされた各患者が一覧表示される。また、患者リストには、各患者の属性情報が表示される。各患者の属性情報は、管理端末１００自身に記憶されたものを患者ＩＤに基づいて読み出して表示してもよく、管理端末１００に接続された別のデータ記憶装置（図示せず）に記憶されたものを患者ＩＤに基づいて読み出して表示してもよい。
【００２８】
負荷装置リストには縦方向に亘って各運動負荷装置が表示される。つまり、図中のＡ、Ｂ、Ｃ、………、Ｇ、Ｈは、それぞれトレッドミルやエルゴメータなどの運動負荷装置を示している。負荷装置リストへの各運動負荷装置の登録は、ユーザーによって予め行われる。なお、負荷装置リストのうち、既に稼動している運動負荷装置には稼動中であることが表示される。また、既に割当て済である運動負荷装置には、割当て済であることと、どの患者に割り当てられているかが、表示される。
【００２９】
次に、本実施の形態の管理端末１００における、各患者への運動負荷装置２００の割当て動作について説明する。
【００３０】
患者がリハビリ施設に来院すると、患者が所持している診察券、予約券、回数券、医療券などに印刷されているバーコードがバーコードリーダー３００によって読み取られる。すると、管理端末１００は、読み取ったバーコードに基づいて、図２に示すように、来院した患者を順次リストアップして一覧表示していく。図の例では、１４人の患者がリストアップされて一覧表示されている。
【００３１】
このように、ある数以上の患者がリストアップされて一覧表示された状態において、医療従事者は、各患者に適切な運動負荷装置２００を割り当てる操作を行う。例えば、所望の運動負荷装置の画面位置をアクティブにした状態で、患者リスト中の所望の患者の画面位置をアクティブにすることで、所望の運動負荷装置に所望の患者を割り当てることができる。例えば運動負荷装置Ａの欄をアクティブにした状態で、Ｎｏ．１２の患者の欄をアクティブにすれば、運動負荷装置ＡにＮｏ．１２の患者を割り当てることができるようになっている。画面位置をアクティブにする方法は、例えば、アクティブにしたい位置にカーソルを移動させてクリックする方法や、ディスプレイがタッチパネルで構成されている場合にはアクティブにしたい位置を指でタッチする方法などがある。
【００３２】
管理端末１００は、医療従事者によって割り当てられた運動負荷装置２００と患者を紐付けて登録する。これにより、管理端末１００は、患者に紐付けられた運動負荷装置２００をその患者の運動負荷設定値に応じて制御できるとともに、運動負荷装置２００によって得られた運動実績データをその運動負荷装置２００に紐付けられた患者の運動実績データとして記録できる。
【００３３】
以上説明したように、本発明によれば、管理端末１００に、実際に来院した患者の患者特定情報を一覧表示する機能と、一覧表示された患者特定情報とユーザーにより患者に割当てられた運動負荷装置２００を特定する機器特定情報とを紐付ける機能と、を設けたことにより、医療従事者は、実際に来院した患者の一覧表示を見ながら各患者への運動負荷装置２００の割当てを行うことができ、グループ単位の患者に対する複数の運動負荷装置２００の割当てを容易かつ適切に行うことができるようになる。
【００３４】
つまり、医療従事者は、リハビリを行うために実際に揃っている患者の顔ぶれと、器具のラインナップとを見ながら割当てを行うことができるので、最適な組合せを選択できる。例えば、重傷の患者ほど医療従事者の目の届きやすい運動負荷装置に配置するなどもできる。また、一括して割当てを行うことができるので、効率的であり、割当て時間も短縮できる。また、リハビリを実施するにあたって患者に行う説明も、一人一人ではなく、全員まとめて行うことができるようになる。
【００３５】
なお、上述の実施の形態では、医療機器を使用する患者を入力する入力手段としてバーコードリーダー３００を用いた場合について述べたが、本発明はこれに限らず、キーボード１１１などの他の入力手段を用いてもよい。つまり、医療従事者は、患者が来院したことを確認すると、その患者ＩＤや患者名をキーボード１１１を使って入力してもよい。
【００３６】
また、上述の実施の形態では、同一画面に、患者特定情報を一覧表示することに加えて、医療機器特定情報も一覧表示する場合について述べたが、医療機器特定情報は必ずしも一覧表示しなくてもよい。例えば空いている医療機器の種類のみを表示してもよい。一例を挙げると、トレッドミルが空いている場合にはトレッドミルを示すアイコンを表示し、エルゴメータが空いている場合にはエルゴメータを示すアイコンを表示する。そして、医療従事者が、一覧表示されている患者のうち、機器を割り当てたい患者が表示されている位置にアイコンをドラッグすることで、その患者にそのアイコンが示す医療機器を割り当てる。そのアイコンが示す医療機器が複数台空いている場合には、複数台の機器のうちどの機器を割り当てるかは管理端末１００が行うようにする。
【００３７】
さらに、医療機器特定情報は必ずしも表示しなくてもよい。医療機器特定情報は医療従事者が例えばキーボードなどの入力装置を用いて直接入力してもよい。その場合には、患者を選択した上で、割り当てたい機器の名称や管理番号を入力装置を用いて直接入力することにより、その患者に入力した医療機器を割り当てる。
【００３８】
また、本発明は、リハビリに限らず、グループ単位の患者に対して複数の医療機器を運用して行われる医療作業を管理する医用管理装置として広く適用可能である。例えば、集団検診などにおいて、複数の患者に対して複数の医療機器の割当てを管理する医用管理装置にも適用できる。本明細書の「患者」とは健康上問題のある者に限らず、医療従事者による医療作業を受ける者を広く意味するものとする。また、医療作業とはリハビリに限らず、上述したような集団検診なども含むものとする。
【００３９】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４０】
本発明は、例えば心臓リハビリに用いられる医用管理装置に適用可能である。
【符号の説明】
【００４１】
１０  リハビリテーションシステム
１１  ハブ
１００  管理端末
１１１  キーボード
１１２  マウス
２００  運動負荷装置
２０１  トレッドミル
２０２  エルゴメータ
２０３  負荷コントローラ
２０４  血圧計
３００  バーコードリーダー
４０１  テレメータ送信機
４０２  テレメータ受信機
【図１】
2015191524.tif 000003
【図２】
2015191524.tif 000004